(57)【特許請求の範囲】
【請求項１】
目的物質と共存物質とを含む放射性廃液に錯化剤を添加する錯化剤添加機構と、
前記目的物質を吸着除去する吸着剤を内蔵する吸着ユニットと、を備え、
前記錯化剤は、前記目的物質との錯安定定数が前記共存物質との錯安定定数に比べて小さく、
前記目的物質はＳｒであり、前記共存物質はＣａ及びＭｇの少なくとも１つを含み、
前記錯化剤の添加濃度は、モル基準で、前記共存物質の濃度の０．２倍以下である、放射性廃液の処理装置。
【請求項２】
前記目的物質との錯安定定数は、前記共存物質との錯安定定数に比べて１／１００以下である、請求項１記載の放射性廃液の処理装置。
【請求項３】
前記錯化剤は、エチレンジアミン四酢酸、テトラメタリン酸又はトリリン酸である、請求項１記載の放射性廃液の処理装置。
【請求項４】
前記錯化剤の添加濃度は、モル基準で、前記目的物質の濃度の３．４倍未満である、請求項１記載の放射性廃液の処理装置。
【請求項５】
前記共存物質の濃度は、モル基準で、前記目的物質の濃度の１倍以上である、請求項１記載の放射性廃液の処理装置。
【請求項６】
さらに、前記放射性廃液と前記錯化剤との混合物に含まれる前記目的物質又は前記共存物質の濃度を測定するイオン濃度計を備えた、請求項１記載の放射性廃液の処理装置。
【請求項７】
前記イオン濃度計から得られる前記目的物質又は前記共存物質の濃度に基いて、前記錯化剤の添加量を調整する、請求項６記載の放射性廃液の処理装置。
【請求項８】
さらに、前記放射性廃液と前記錯化剤とを混合する攪拌機構を含む、請求項１記載の放射性廃液の処理装置。
【請求項９】
目的物質と共存物質とを含む放射性廃液に錯化剤を添加し、
その後、吸着剤により前記目的物質を吸着除去する方法であって、
前記錯化剤は、前記目的物質との錯安定定数が前記共存物質との錯安定定数に比べて小さく、
前記目的物質はＳｒであり、前記共存物質はＣａ及びＭｇの少なくとも１つを含み、
前記錯化剤の添加濃度は、モル基準で、前記共存物質の濃度の０．２倍以下である、放射性廃液の処理方法。
【請求項１０】
前記目的物質との錯安定定数は、前記共存物質との錯安定定数に比べて１／１００以下である、請求項９記載の放射性廃液の処理方法。
【請求項１１】
前記錯化剤は、エチレンジアミン四酢酸、テトラメタリン酸又はトリリン酸である、請求項９記載の放射性廃液の処理方法。
【請求項１２】
前記錯化剤の添加濃度は、モル基準で、前記目的物質の濃度の３．４倍未満である、請求項９記載の放射性廃液の処理方法。
【発明の詳細な説明】
【技術分野】
【０００１】
本発明は、原子力発電所等で発生する放射性物質を含む廃液の処理装置及び処理方法に関する。
【背景技術】
【０００２】
原子力発電所等において発生する放射性物質を含む廃液の処理方法の一つに、無機固体およびイオン交換樹脂等を吸着剤として使用し吸着除去する方法がある。放射性物質を吸着した後の吸着剤は放射性廃棄物となることから、吸着性能の向上による処理効率の向上が求められている。
【０００３】
吸着剤を使用して目的物質を除去する公知技術の例としては、目的物質の形態を変化させて処理効率を高める方法がある。
【０００４】
特許文献１には、硼素を逆浸透膜（ＲＯ）膜処理により除去する際に、錯化剤を添加して、硼素を解離状態とすることにより、除去効率を高める技術が記載されている。
【先行技術文献】
【特許文献】
【０００５】
【特許文献１】特開平１０−０８０６８４号公報
【発明の概要】
【発明が解決しようとする課題】
【０００６】
目的物質の除去においては、目的物質の吸着選択性を向上するとともに、共存物質による妨害を低減することも、処理効率の向上に寄与する。放射性廃液を吸着剤で処理する場合、放射性物質以外の共存物質（Ｃａ、Ｍｇ、Ｈ）も合わせて吸着されることから、共存物質による妨害が生じる。共存物質によって吸着剤の吸着量が低下し、早期に吸着剤の交換が必要となり、廃棄物量およびコストが増大する。
【０００７】
本発明は、放射性廃液を吸着剤で処理する場合において、処理対象である目的物質と共存物質との選択性を向上し、吸着剤の有効利用を図ることを目的とする。
【課題を解決するための手段】
【０００８】
本発明の放射性廃液の処理装置は、目的物質と共存物質とを含む放射性廃液に錯化剤を添加する錯化剤添加機構と、吸着剤を内蔵する吸着ユニットと、を備え、錯化剤は、目的物質との錯安定定数が共存物質との錯安定定数に比べて小さい。
【発明の効果】
【０００９】
本発明によれば、放射性廃液に含まれる共存物質の吸着剤への吸着を防ぎ、目的物質の吸着剤への選択性を向上し、廃棄物量及びコストの削減を可能とすることができる。
【図面の簡単な説明】
【００１０】
【図１】実施例１の放射性廃液の処理装置を示す概略構成図である。
【図２】模擬廃液に錯化剤としてＥＤＴＡを添加した溶液を吸着塔に通液した場合の通液量に対するＣａ及びＳｒの流出比率を示すグラフである。
【図３】模擬廃液に錯化剤としてＥＤＴＡを添加しない溶液を吸着塔に通液した場合の通液量に対するＣａ及びＳｒの流出比率を示すグラフである。
【図４】模擬廃液に添加するＥＤＴＡの濃度をパラメータとして、吸着剤に通液した際の通液量に対するＳｒの流出比率を示すグラフである。
【図５】逐次平衡定数より算出したモル濃度比［Ｃａ］／［Ｓｒ］に対するＣａ及びＳｒのイオン形態の分配比率を示すグラフである。
【図６】錯化Ｃａと錯化Ｓｒとの濃度比率に対するＥＤＴＡの添加量の影響を示すグラフである。
【図７】実施例５の放射性廃液の処理装置を示す概略構成図である。
【図８】本発明の廃液処理方法の工程を示すフロー図である。
【発明を実施するための形態】
【００１１】
本発明は、廃液から、目的物質Ｍと吸着阻害を生じる共存物質（Ａ，Ｂ）を含む水中からの目的物質を吸着分離する場合において、錯化剤Ｌを水中に添加する工程と、その後段に吸着剤による吸着を行う工程と、を備えることを特徴とする。ここで、目的物質Ｍの錯安定定数をＫ（Ｍ−Ｌ）、共存物質Ａの錯安定定数をＫ（Ａ−Ｌ）、共存物質Ｂの錯安定定数をＫ（Ｂ−Ｌ）とすると、Ｋ（Ｍ−Ｌ）≪Ｋ（Ａ−Ｌ）及びＫ（Ｍ−Ｌ）≪Ｋ（Ｂ−Ｌ）が成り立つ。
【００１２】
放射性廃液の吸着処理においては、目的物質だけでなく、その他の共存物質も吸着剤が吸着する場合がある。そのため、廃液中に吸着剤に吸着する共存物質が存在すると、吸着剤の目的物質に対する吸着量が低下し、廃棄物量やコストが増大する。
【００１３】
本発明者は、共存物質を吸着剤に吸着されない形態とすることにより、目的物質の選択性を向上することができると考えた。目的物質の選択性を向上することにより、共存物質による吸着量の低下を防止することができ、選択性の低い安価材の代替使用が可能になり、吸着剤を有効利用することができる。
【００１４】
よって、本発明では、放射性廃液中に目的物質との錯安定係数に比べ、共存物質との錯安定係数が大きい錯化剤を添加することで共存物質を選択的に吸着されにくい形態とし、吸着剤を有効利用する方法を提案する。また、これを実現するために、放射性廃液に錯化剤を添加する錯化剤添加機構と、吸着剤を内蔵した吸着ユニットと、を備えた、放射性廃液の処理装置を提示する。
【００１５】
以下、本発明の実施例について図面を用いて説明する。なお、以下の実施例においては、目的物質をストロンチウム（Ｓｒ）、共存物質をカルシウム（Ｃａ）と仮定して記載している。
【実施例１】
【００１６】
図１は、本実施例の廃液処理装置を示す概略構成図である。
【００１７】
廃液処理装置１００は、廃液１を貯留する槽１０、錯化剤２を含む固体または溶液を貯留する槽１１、攪拌機構１２、ポンプ１３及び吸着塔１４（吸着ユニット）を備えている。吸着塔１４には、目的物質を吸着除去する吸着剤が充填されている。
【００１８】
以下、廃液処理装置１００における処理の流れを説明する。
【００１９】
廃液１を貯留している槽１０に対して、錯化剤２を槽１１より添加し、攪拌機構１２により廃液１と錯化剤２とを混合する。これにより、錯化剤２（以下「Ｌ」と略称する場合がある。）を廃液中の共存物質と反応させ、共存物質を錯体化する。
【００２０】
このとき、錯化剤２（Ｌ）と目的物質Ｍとの錯安定定数Ｋ（Ｍ−Ｌ）が、錯化剤２（Ｌ）と共存物質Ａとの錯安定定数Ｋ（Ａ−Ｌ）よりも十分に小さい値となるように錯化剤を選定する。具体的には、Ｋ（Ａ−Ｌ）／Ｋ（Ｍ−Ｌ）＞１００となる錯化剤が好適である。言い換えると、錯化剤２（Ｌ）と目的物質Ｍとの錯安定定数は、錯化剤２（Ｌ）と共存物質Ａとの錯安定定数に比べて１／１００以下である。この条件を満たす錯化剤としては、例えば、エチレンジアミン四酢酸（ＥＤＴＡ）、テトラメタリン酸、トリリン酸等が挙げられる。
【００２１】
表１は、ＥＤＴＡ、テトラメタリン酸、トリリン酸及びニトリロ三酢酸（ＮＴＡ）のＣａ、Ｍｇ及びＳｒに対する錯安定定数ｌｏｇＫを示したものである。この例では、目的物質ＭがＳｒであり、共存物質（Ａ，Ｂ）がＣａ，Ｍｇである。なお、共存物質としては、Ｃａ及びＭｇのうち少なくとも１つが含まれる場合が想定される。
【００２２】
【表１】
0006688157.tif 000002
【００２３】
廃液中の共存物質を錯体化した後、ポンプ１３により吸着塔１４に通液する。吸着塔１４では、イオン交換による目的物質の吸着を行う。吸着塔１４の吸着では、イオンに解離している物質のみを吸着することから、錯体化している共存物質は吸着されず、イオンに解離している目的物質が優先的に吸着される。吸着塔１４を通過した液は、処理後の排液４として排出される。
【００２４】
以下、錯化剤添加による吸着選択性の向上効果を検討した結果について説明する。
【００２５】
目的物質ＭをＳｒとし、模擬廃液と、模擬廃液に錯化剤としてＥＤＴＡを添加した溶液と、を吸着剤に通液した際の、通液量に対する流出濃度の推移を調べた。模擬廃液は、人工海水を１０．５倍に希釈し、共存イオンとしてＣａＣｌ２、ＭｇＣｌ２を添加して調製したものを用いた。このときの模擬廃液のＣａ、Ｍｇ及びＮａの濃度並びにＥＤＴＡの濃度は、次のとおりである。
【００２６】
Ｃａ濃度：１６０ｐｐｍ
Ｍｇ濃度：１６０ｐｐｍ
Ｎａ濃度：１１２６ｐｐｍ
ＥＤＴＡ濃度：７４０ｐｐｍ（Ｃａのモル濃度の０．５倍）
なお、模擬廃液は、ｐＨを調整せずに吸着剤に通液した。ＥＤＴＡを添加していない模擬廃液のｐＨは７〜８、ＥＤＴＡを添加した模擬廃液のｐＨは３．７であった。
【００２７】
通液前後のＣａ濃度をイオンクロマトグラフィにより測定し、流出したＣａ濃度を求めた。非放射性同位体のＳｒの濃度は０．９ｐｐｍとし、さらにトレーサーとして微量の放射性同位体Ｓｒ−８５を添加した。通液前後のＳｒ−８５濃度を、半導体型検出器で放射線エネルギーを測定することで決定し、流出したＳｒ濃度を求めた。吸着剤は、市販のストロンチウム吸着剤を使用した。市販のストロンチウム吸着剤としては、ゼオライト、チタン酸化合物又は結晶性シリコチタネートを母材とした製品が販売されている。
【００２８】
図２は、模擬廃液に錯化剤としてＥＤＴＡを添加した溶液を吸着塔に通液した場合の通液量に対するＣａ及びＳｒの流出比率を示すグラフである。
【００２９】
図３は、模擬廃液に錯化剤としてＥＤＴＡを添加しない溶液を吸着塔に通液した場合、すなわち、模擬廃液をそのまま吸着塔に通液した場合の通液量に対するＣａ及びＳｒの流出比率を示すグラフである。
【００３０】
ここで用いた吸着剤は、チタン酸化合物を母材とした吸着剤である。横軸に通液量ＢＶ、縦軸に流出比率Ｒをとっている。ここで、通液量ＢＶは、（通液量（ｍＬ））／（吸着剤量（ｍＬ））である。また、流出比率Ｒは、（カラム通過後のＳｒ濃度（ｐｐｍ））／（初期Ｓｒ濃度（ｐｐｍ））である。
【００３１】
図２及び図３を比較すると、ＥＤＴＡの添加によりＣａの流出比率（Ｒｃａ）とＳｒの流出比率（Ｒｓｒ）との差が広がっていることがわかる。通液量ＡでのＲｓｒ／Ｒｃａを比較すると、ＥＤＴＡを添加していない場合はＲｓｒ／Ｒｃａ＝０．２であったのに対し、ＥＤＴＡを添加した場合にはＲｓｒ／Ｒｃａ＝０．０４となっている。
【００３２】
以上のことより、錯化剤ＥＤＴＡの添加により、吸着剤のＳｒ選択性が向上することがわかる。
【実施例２】
【００３３】
実施例１と同様の装置構成において、錯化剤添加による吸着剤のＳｒ吸着性能変化を検討した。希釈した海水および希釈した海水に錯化剤としてＥＤＴＡを添加した溶液を吸着剤に通液した際の、通液量に対する流出比率の推移を調べた。この場合における希釈海水のＣａ、Ｍｇ、Ｓｒ及びＮａの濃度並びにＥＤＴＡの濃度は、次のとおりである。
【００３４】
Ｃａ濃度：７２ｐｐｍ
Ｍｇ濃度：２３８ｐｐｍ
Ｓｒ濃度：１．４ｐｐｍ
Ｎａ濃度：２０００ｐｐｍ
ＥＤＴＡ濃度：６７ｐｐｍ、２０ｐｐｍ、６．７ｐｐｍ（Ｓｒモル濃度の１１倍、３．４倍、１．１倍）
なお、希釈海水は、ｐＨを調整せずに吸着剤に通液した。希釈海水のｐＨは、６．５〜７の範囲であった。トレーサーとして微量の放射性同位体Ｓｒ−８５を添加した。通液前後のＳｒ−８５濃度の放射線エネルギーを半導体型検出器により測定することにより、流出したＳｒの全濃度を算出した。
【００３５】
図４は、模擬廃液として希釈海水を用い、これに添加するＥＤＴＡの濃度をパラメータとして、吸着剤に通液した際の通液量に対するＳｒの流出比率を示したものである。ここで用いた吸着剤は、結晶性シリコチタネートを母材とした吸着剤である。横軸に通液量ＢＶ、縦軸にＳｒの流出比率Ｒをとっている。図中、ＥＤＴＡのモル比を０、１．１、３．４、１１とした場合についてそれぞれ、シンボルを×印、△印、〇印、◇印として示している。
【００３６】
図４より、ＳｒとＥＤＴＡとのモル濃度比を１：１．１として希釈海水にＥＤＴＡを添加した場合は、希釈海水の破過曲線と大きな違いが見られなかった。一方、ＳｒとＥＤＴＡのモル濃度比を１：３．４あるいは１：１１とした場合には、若干の吸着性能の低下が見られた。よって、ＥＤＴＡを添加する場合においてＥＤＴＡ添加量がモル濃度比でＳｒの１．１倍から３．４倍の間において吸着性能が変化することが確認できた。
【００３７】
以上より、ＥＤＴＡ添加量は、Ｓｒ濃度の３．４倍未満に留めることが好ましい。また、ＥＤＴＡ添加量は、Ｓｒ濃度の２．０倍以下に留めることが更に好ましい。
【実施例３】
【００３８】
ＳｒとＣａとの濃度比によるＳｒおよびＣａのイオン形態の変化を検討するため、ＳｒおよびＣａに対するＥＤＴＡ錯体の逐次安定定数を用いて各形態の分配比率を算出した。ここで、分配比率は、溶液中のＣａ濃度、Ｓｒ濃度、ＥＤＴＡ濃度、及びｐＨより逐次安定定数を用いて、平衡反応式により計算した。
【００３９】
表２は、平衡反応式及びそれぞれの平衡反応式に対応する逐次安定定数の値を示したものである。
【００４０】
【表２】
0006688157.tif 000003
【００４１】
図５は、Ｓｒに対して等モルのＥＤＴＡを添加した場合の、ｐＨ＝７における各イオン形態の分配比率を示したものである。
【００４２】
図５より、Ｃａ濃度がＳｒ濃度よりも高くなると、Ｓｒの自由イオンの分配比率は大幅に増加することがわかる。ＥＤＴＡは、Ｃａと優先的に錯体を形成するからである。
【００４３】
よって、本発明は、Ｓｒ濃度に対してＣａ濃度が１倍以上の廃液に対して特に有効である。
【実施例４】
【００４４】
ＥＤＴＡ添加による錯化Ｃａに対する錯化Ｓｒの濃度比率を検討するため、ＳｒおよびＣａに対するＥＤＴＡ錯体の逐次安定定数を用いて各形態の存在率を算出した。
【００４５】
図６は、Ｃａ濃度に対するＥＤＴＡ濃度と錯化Ｃａに対する錯化Ｓｒの濃度比率（Ｃｓｒ／Ｃｃａ）との関係を示したものである。横軸にはＣａの総濃度に対するＥＤＴＡ濃度をとり、縦軸には錯化Ｃａに対する錯化Ｓｒの濃度比率（Ｃｓｒ／Ｃｃａ）をとっている。
【００４６】
錯化Ｃａに対する錯化Ｓｒの濃度比率（Ｃｓｒ／Ｃｃａ）が低いほど、選択性の向上効果は高い。なお、逐次安定定数は、実施例３で示す値を使用した。
【００４７】
図６より、Ｃａの総濃度に対するＥＤＴＡ濃度が０．２倍を超えた範囲において、Ｃｓｒ／Ｃｃａが大幅に上昇する。よって、ＥＤＴＡの濃度は、Ｃａ総濃度に対して０．２倍以下とすることが好ましい。また、ＥＤＴＡの濃度は、Ｃａ総濃度に対して０．１倍以下とすることが更に好ましい。
【実施例５】
【００４８】
図７は、本実施例の廃液処理装置を示す概略構成図である。図１と同様の構成要素には同一の符号を付している。
【００４９】
図７においては、図１の構成に加え、錯化剤２の添加に用いるポンプ１５を有し、かつ、槽１０においてイオン濃度計２０により廃液中の目的物質又は共存物質の濃度を測定する点が異なる。イオン濃度計２０により測定した目的物質又は共存物質の濃度に基いて、ポンプ１５を稼働し、槽１１より錯化剤２を添加する。槽１０において目的物質又は共存物質の濃度を測定することで、錯化剤２の添加濃度を適切に調整することができる。
【００５０】
以下、本発明の廃液処理方法について説明する。
【００５１】
図８は、廃液処理方法の工程を示すフロー図である。
【００５２】
本図に示すように、本発明の廃液処理方法は、錯化剤添加工程Ｓ１０１と、目的物質吸着工程Ｓ１０２と、を含む。
【００５３】
錯化剤添加工程Ｓ１０１においては、処理すべき廃液に錯化剤を添加する。ここで、錯化剤は、目的物質よりも共存物質と結合しやすい物質である。
【００５４】
目的物質吸着工程Ｓ１０２においては、錯化剤と共存物質とが結合して形成された錯体よりも、目的物質が選択的に吸着剤に吸着され、液中から除去される。
【００５５】
この方法により、吸着剤を浪費することなく、目的物質を除去することができる。
【００５６】
なお、本発明は、廃液に錯化剤を添加し、共存物質をマスキングすることにより、目的物質を除去する吸着剤の負荷を低減するものであり、分析等で行われる高純度化とは異なる考え方によるものである。
【符号の説明】
【００５７】
１：廃液、２：錯化剤、１０：廃液を貯留する槽、１１：錯化剤を貯留する槽、１２：攪拌機構、１３、１５：ポンプ、１４：吸着塔、２０：イオン濃度計、１００：廃液処理装置。
【図１】
0006688157.tif 000004
【図２】
0006688157.tif 000005
【図３】
0006688157.tif 000006
【図４】
0006688157.tif 000007
【図５】
0006688157.tif 000008
【図６】
0006688157.tif 000009
【図７】
0006688157.tif 000010
【図８】
0006688157.tif 000011